(57)【要約】  【課題】  携帯電話端末本体に付着した汚れを容易に且つ効率的に洗浄できメンテナンス性を向上させた携帯機器を提供する。  【解決手段】  防水機能と振動発生器６とを備えた携帯機器であって、通常振動パラメータと洗浄用振動パラメータとを記憶した記憶手段１１と、振動発生器の動作モードを通常使用モードあるいは洗浄モードのいずれかに設定する操作入力手段８と、洗浄モードが設定されると洗浄用振動パラメータに従って振動発生器を振動させ、通常使用モードが設定される通常振動パラメータに従って振動発生器を振動させる制御手段１０とを有する。【選択図】  図２
2009071747.tif 000002
【特許請求の範囲】
【請求項１】
防水機能と振動発生器とを備えた携帯機器において、
通常振動パラメータと洗浄用振動パラメータとを記憶した記憶手段と、
前記振動発生器の動作モードを通常使用モードあるいは洗浄モードのいずれかに設定する操作入力手段と、
前記洗浄モードが設定されると前記洗浄用振動パラメータに従って前記振動発生器を振動させ、前記通常使用モードが設定される前記通常振動パラメータに従って前記振動発生器を振動させる制御手段と、
を有することを特徴とする携帯機器。
【請求項２】
前記洗浄用振動パラメータは、洗浄に使用される洗浄用容器内の液量の共振周波数に合わせて設定されることを特徴とする請求項１に記載の携帯機器。
【請求項３】
特定波長の音波パターンの洗浄用容器および液面からの反射波に基づいて洗浄用容器の液量を推定する推定手段を更に有することを特徴とする請求項１に記載の携帯機器。
【請求項４】
前記推定手段は、前記音波パターンの反射時間の長い順に少なくとも３個の反射時間からそれぞれの距離を算出し、前記距離に基づいて前記洗浄用容器内の水量を算出することを特徴とする請求項３に記載の携帯機器。
【請求項５】
前記振動発生器の振動幅および周波数の少なくとも一方が異なる洗浄用振動パラメータの洗浄モードが複数個用意され、前記操作入力部の操作によって１つの洗浄モードが選択可能であることを特徴とする請求項１−４のいずれか１項に記載の携帯機器。
【請求項６】
洗浄用容器内の液体の温度を検出する温度検出手段を更に有し、前記制御手段は前記液体の温度に適した洗浄用振動パラメータを設定することを特徴とする請求項１−５のいずえか１項に記載の携帯機器。
【請求項７】
請求項１から請求項６のいずれか１項に記載された携帯機器と、洗浄用容器と、前記洗浄用容器に入れられた前記携帯機器と被洗浄物とが接触しないように離隔する網状保持体と、を有することを特徴とする洗浄用ユニット。
【請求項８】
請求項１から請求項６のいずれか１項に記載された携帯機器を洗浄用容器内の洗浄液に沈め、網状保持体を介して被洗浄物を置き、前記携帯機器を洗浄モードで駆動することで前記被洗浄物の洗浄を行うことを特徴とする洗浄方法。
【発明の詳細な説明】
【技術分野】
【０００１】
本発明は携帯電話端末や携帯情報端末などの携帯機器に係り、特に振動発生機能を有する携帯機器の汚れを除去する技術に関する。
【背景技術】
【０００２】
携帯電話端末の洗浄に関する技術が種々提案されている。たとえば、登録実用新案第３０８０８７０号公報（特許文献１）には、携行品を吊下げるハンドストラップに汚れ拭き取り具を設けた技術が提案されている。その記載によれば、汚れ拭き取り具をハンドストラップに連結することで携帯電話端末の汚れを拭き取ることができるとされている。
【０００３】
また、特開２００１−０２９９０７号公報（特許文献２）には超音波振動子を固着した洗浄用容器が開示されている。この超音波振動子に高周波出力を供給することで超音波振動子が振動し、洗浄用容器に入れられた被洗浄物が洗浄されると記載されている。
【０００４】
【特許文献１】登録実用新案第３０８０８７０号公報
【特許文献２】特開２００１−０２９９０７号公報
【発明の開示】
【発明が解決しようとする課題】
【０００５】
しかしながら、特許文献１あるいは特許文献２に開示された技術で携帯電話端末の汚れを落とそうとすると、手間がかかって面倒であり、また十分な洗浄ができない。たとえば特許文献１では布や紙などで端末本体を拭くなどしなければならない。また、携帯電話端末が防水型であれば、容器に入れて本体を水洗いすることも可能であるが、頑固な汚れについては使用者自身がスポンジやブラシなどで擦り落とす必要がある。
【０００６】
また、上述した洗浄機器は洗浄作用にムラが生じやすい。特に特許文献２に開示された洗浄機器は、洗浄用水槽の外側に洗浄動作に必要な装置を配設するのでサイズも大きくなりがちである。また、洗浄用水槽の中心まで到達する洗浄力も減衰しやすく、凹凸の多い携帯電話端末の場合、洗浄ムラが生じやすい。
【０００７】
さらに、一般家庭において小物を自動洗浄する洗浄装置を購入することは負担が大きい。自動洗浄するには上記のような洗浄機器を用意する必要があるが、これら小物に適した洗浄機器は一般家庭にはほとんど普及していないため、新たに購入する必要がある。また、これらは洗浄専用の機器であり、使用しない場合には収納場所を確保する必要がある。
【０００８】
本発明の目的は、機器に付着した汚れを容易に且つ効率的に洗浄できメンテナンス性を向上させた携帯機器を提供することにある。
【課題を解決するための手段】
【０００９】
本発明の携帯機器は、防水機能と振動発生器とを備えた携帯機器であって、通常振動パラメータと洗浄用振動パラメータとを記憶した記憶手段と、前記振動発生器の動作モードを通常使用モードあるいは洗浄モードのいずれかに設定する操作入力手段と、前記洗浄モードが設定されると前記洗浄用振動パラメータに従って前記振動発生器を振動させ、前記通常使用モードが設定される前記通常振動パラメータに従って前記振動発生器を振動させる制御手段と、を有することを特徴とする。
【発明の効果】
【００１０】
本発明によれば、機器に付着した汚れを容易に且つ効率的に洗浄できメンテナンス性を向上させた携帯機器を提供できる。
【発明を実施するための最良の形態】
【００１１】
１．第１実施例
図１〜図４は本発明の第１実施例による携帯電話端末の説明図である。図１に示すように、本実施例に係る携帯電話端末１は、通常の携帯電話端末のように、情報表示部３、入力操作部８、マイク９、スピーカ４などを備えた外観を有している。
【００１２】
また、携帯電話端末１は防水加工が施されている。防水加工の一例としては、各接合部や操作ボタン、スイッチ類などの隙間に防水ゴムを充填することなどによって行なうことができる。また、各コネクタ部についても樹脂製のキャップやスクリュー式の蓋等で密閉することによって高い気密性を実現し、本体が水没しても携帯電話端末１の内部に水が侵入することを防止することができる。この他、本体をエラストマーフィルムで覆う等の公知の防水技術を用いることができる。携帯電話端末１の防水機能を実現する手段は、当業者にとって良く知られているので、その詳細な説明は省略する。本発明は防水技術を特定するものではない。
【００１３】
図２は本発明の第１実施例による携帯電話端末の回路構成の一例を示すブロック図である。無線制御部２は携帯電話基地局との通信を行なうための無線機能の制御を行い、情報表示部３は携帯電話の操作結果や着信内容などを表示するディスプレイを有する。ディスプレイとしては、たとえば液晶、有機ＥＬ、ＬＥＤなどが使用可能である。さらに、携帯電話端末１には、スピーカ４、情報記憶部５、着信通知あるいは洗浄ための振動を発生させる振動発生器６、周囲の温度を検出する温度センサ７、各種情報を入力する入力操作部８、マイク９、および、全般的な制御と本実施例に係る制御を行う制御部１０を有している。情報記憶部５には、携帯電話としての機能と自らの洗浄機能を実現するための各種情報が記憶されている。
【００１４】
スピーカ４は着信音鳴動、受話器あるいはアラーム等の機能を有し、通常のスピーカ、電子ブザー、アラーム、骨伝導デバイスなどで実現できる。マイク９はコンデンサマイクなどが使用でき、電話での通話時の音声入力用として使用する。温度センサ７は携帯電話端末１の周囲温度を計測するためのセンサであり、これはサーミスタ等のデバイスによって実現される。
【００１５】
情報記憶部５は、ＲＯＭ、ＲＡＭなどの各種半導体素子や、光ディスク、磁器ディスク、磁器テープ等の外部記憶装置などで構成することができる。特に、後述するように、情報記憶部５には、通常の着信通知（着信モード）で使用する着信振動パラメータと、洗浄用（洗浄モード）で使用する洗浄振動パラメータとを記憶した振動パラメータ記憶部１１が設けられている。
【００１６】
振動発生器６としては、モータの軸に重心をかたよらせた重りを取り付け、回転させることで振動を生む方式が一般的である。この他にもピエゾ素子等を用いた電歪振動子や、強磁性体物質を利用した磁歪振動子によって振動を発生させる手段を用いてもよい。振動発生器６の振動幅、振動周期および振動時間は調整可能である。
【００１７】
入力操作部８は、電話機能や各種情報端末としてのコンテンツの再生などに係る操作を行うためのユーザインターフェイスであり、着信モードと洗浄モードとを切替える切替えスイッチ機能や洗浄機能に関する入力を行なうことができる。入力操作部８としては、キーパッド、ボタンスイッチ、タッチパッド等を使用可能である。入力操作部８の一部として、着信モードと洗浄モードとを切替える独立した切替えスイッチを携帯電話端末１の側面位置などに設けてもよい。ユーザは、入力操作部８を用いて、例えば洗浄時間を入力したり、あるいは予め用意されたいくつかの洗浄モードを選択したりすることができる。
【００１８】
制御部１０はＣＰＵを含んで構成され、電話又は情報端末機能および洗浄具機能を制御するとともに、後述する各種演算も行なう。また、後述するように洗浄時間を管理するためのタイマも有する。
【００１９】
なお、振動パラメータ記憶部１１に、所定の容器において複数の洗浄モードにそれぞれ対応した洗浄振動パラメータを予め格納しておき、汚れの程度などに応じて選択することも可能である。一例として、３つの洗浄モードの洗浄振動パラメータを表１に示す。
【００２０】
【表１】
2009071747.tif 000003
ここで「振動幅」は「振幅」あるいは「振動持続幅」を意味する。「振幅」は振動発生器へ供給される電圧レベルにより調整される振動の振幅であり、「振動持続幅」は振動繰り返し周期内に実際に振動発生器に通電される時間比により調整される繰り返し周期内での振動持続期間である。
【００２１】
図３は携帯電話端末を洗浄用容器に入れた様子の一例を示す模式図である。洗浄用容器１２は耐水性に優れた安定性の良い容器とし、携帯電話端末１を完全に水没させることができる深さ及び幅を持つサイズとする。洗浄液２０は単なる水又は界面活性剤入り水溶液など洗浄作用に優れた液体を選び、洗浄用容器１２の内部に十分に満たしておく。
【００２２】
本実施例では洗浄用容器１２として予め規定された容積及び形状の容器が使用されることが好ましい。予め規定された洗浄用容器１２としては、携帯電話端末１の販売時に、携帯電話端末１の洗浄に適した容積及び形状の洗浄用容器１２を一緒に添付して販売する方法や携帯電話端末１の収容ケースをその洗浄用容器１２としてもよい。又は、携帯電話端末１に添付される洗浄に関するマニュアルを参照して使用者が有する容器のうちで、洗浄に適した容積及び形状の容器を選ぶことで行なってもよい。
【００２３】
図４は第１実施例による携帯電話端末の洗浄モードでの動作例を示すフローチャートである。まず、使用者が入力操作部８を操作して携帯電話端末１の動作モードを洗浄モードに切替えると（ステップＳ１）、制御部１０は所定のあるいは選択された洗浄モードの洗浄振動パラメータを情報記憶部５の振動パラメータ記憶部１１から読み出し、振動発生器６に設定する（ステップＳ２）。この洗浄振動パラメータは、上述した振動幅、周波数、振動時間などの要素からなり、規定の洗浄用容器１２に入れられた携帯電話端末の周囲の洗浄液を共振させやすく洗浄効果を高めることができる値に予め設定しておく。
【００２４】
そして、制御部１０は、洗浄時間が設定された洗浄用タイマでカウントを開始する（ステップＳ３）。この洗浄時間は、固定値としても、使用者が入力操作部８から任意に設定してもよい。時間をカウントするタイマとしては、制御部１０のＣＰＵやＯＳが持つタイマ機能を用いても良いし、ＣＰＵクロック数をカウントする方法や、外部のリアルタイムクロック（ＲＴＣ）を用いたり、または通信基地局からＴｉｃｋ受信する方法でも良い。
【００２５】
タイマのカウントが開始されると、制御部１０は、洗浄用タイマがカウントアップするまで、選択された洗浄振動パラメータに従って振動発生器６を作動させる（ステップＳ４、Ｓ５）。振動発生器６の動作中は、洗浄液の共振によって生じた攪拌水流及びその水圧によって、携帯電話端末１の本体に付着した汚れを洗い流すことができる。
【００２６】
洗浄時間が経過すると（ステップＳ５：ＹＥＳ）、制御部１０は振動発生器６を停止させて洗浄を終了し（ステップＳ６）、振動パラメータを通常の着信通知用に戻して（ステップＳ７）、使用者へ洗浄完了通知を行う（ステップＳ８）。この通知手段としては、スピーカ４を鳴動させたり、情報表示部３に完了通知メッセージを表示したり、或いは無線制御部２を用いて使用者宅の固定電話や他の通信機器へメッセージを送信する方法などが考えられる。
【００２７】
本実施例によれば、携帯電話端末１に内蔵された振動発生器１２を振動させることにより自動洗浄を行うことができるため、使用者は布やブラシなどで端末を擦る必要がない。したがって使用者の手を殆ど煩わせることなく自動的に携帯電話端末１の汚れを落とすことができる。
【００２８】
さらに、本実施例によれば、洗浄に用いる震動源として携帯電話端末１の本体を洗浄用容器１２の中に沈めて振動させることにより、端末１の本体周囲の水に振動が伝わり、周囲の水が共振することにより洗浄用容器１２内の水が攪拌される。この攪拌によって生じた水流及びその水圧により、端末１に付着した汚れを効果的に遊離させて落とすことができる。また、端末本体を洗浄用容器１２内に配置するのであるから、容器サイズをコンパクトにすることができ、コンパクトであることによって容器全体にさらに効果的に振動を伝えることができる。したがって、ムラのない洗浄作用を得ることができる。
【００２９】
さらに、振動発生器６の振動幅、周波数、振動時間などの各振動パラメータを洗浄シーンに合わせて調整可能にしているので、酷い汚れには振動幅を大きくして攪拌水流を速めて汚れを落としやすくすることなどができる。
【００３０】
なお、振動発生器６として電歪振動子や磁歪振動子を携帯電話端末に搭載すれば、２０ｋＨｚ以上の超音波振動を発生させることもできる。この構成であれば、超音波振動子の周囲から発生する細かい気泡が携帯電話端末１に当たり、強く弾ける瞬間に生じる衝撃波が携帯電話端末１の微細な隙間に付着した汚れを粉砕することにより、ブラシや通常の水流では落ちにくい汚れを効果的に取り除くことが可能になる。
【００３１】
２．第２実施例
本発明の第２実施例による携帯電話端末１は、音波パターンを利用して容器の容積を推定し最適な振動パラメータを設定することで、ユーザが任意に選んだ不特定な洗浄用容器であっても効果的な洗浄が可能となる。以下詳述する。
【００３２】
図５は本発明の第２実施例による携帯電話端末の構成を示すブロック図である。第２実施例による携帯電話端末１は、特定波長の音波パターン情報を記憶した音波パターン記憶部１３と、音波パターンの洗浄用容器からの反射波に基づいて洗浄用容器の容積を算出する容積算出部１４と、を有している。
【００３３】
音波パターン記憶部１３は情報記憶部５に設けられ、容積算出部１４はソフトウエア的に実現されうる。音波パターンを発するスピーカにはスピーカ４を兼用し、反射波を受信するマイクもマイク９を兼用することができる。また、振動パラメータ記憶部１１には、複数の周波数に対応する洗浄振動パラメータが予め格納されている。その他の構成は、図２に示す第１実施例と基本的に同じであるから、同一参照番号を付して説明は省略する。
【００３４】
図６は本発明の第２実施例による携帯電話端末の動作の一例を示すフローチャートである。図６において、ユーザが携帯電話の動作モードを洗浄モードに切り替えると（ステップＳ１）、制御部１０は音波パターン記憶部１３から音波パターン情報を読み出し、スピーカ４を駆動して断続的に特定周波数の単音パターンを送出させる（ステップＳ２−１）。この音波パターンは液中を伝播し洗浄用容器１２の壁面などで反射し、この反射音がマイク９で受信される（ステップＳ２−２）。実際は、マイク９で集められた音波にはスピーカ４から直接マイク９に届いた音波などが雑音として混じっているから、制御部１０はマイク９の受信音信号にフィルタ処理を施して雑音などの除去を行い、洗浄用容器壁面や液面からの反射音信号のみを抽出する。
【００３５】
容積算出部１４は、スピーカ４から送出された音波の反射音がマイク９に到達するまでの経過時間を計測し、液中における音の伝達速度係数を掛け合わせることにより洗浄用容器１２の壁面や液面までの距離を求め、この値から洗浄用容器の大凡の容積（液体の量）を推定する（ステップＳ２−３）。
【００３６】
一般に、容器を満たす液体の量に応じて液面の共振周波数が変化することが知られているので、洗浄用容器１２内の液量と共振周波数とは相関関係があるといえる。そこで、容積算出部１４が洗浄用容器１２の容積を推定すると、制御部１０はその推定容積に対して最も洗浄液を共振させやすい周波数を決定し、その周波数に最も近い周波数の洗浄振動パラメータを振動パラメータ記憶部１１から読み出して振動発生器６に設定する（ステップＳ２−４）。
【００３７】
このように共振周波数に近い周波数の洗浄振動パラメータに従って振動させることで、洗浄用容器１２内に発生する攪拌水流が最大となり効果的な洗浄を行うことができる。以降のステップＳ３〜Ｓ８は、図４の第１実施例と同様であるから説明は省略する。以上の手法により、自動的に洗浄用容器１２の水量を求め、洗浄に最も効果的な振動パラメータを設定することができる。
【００３８】
さらに、携帯電話端末１に具備された温度センサ７を用いれば、端末周囲の洗浄液の温度を検出することができる。一般的に洗浄液の温度が高いほど物質を活性化しやすい傾向があり、付着した汚れも洗浄液に溶解しやすくなるため汚れを落としやすい。そこで、温度センサ７で検出した洗浄液の温度に合わせて洗浄時間を調節することも可能である。
【００３９】
上述したステップＳ２−３における洗浄用容器１２内の液量推定について、さらに詳しく説明する。
【００４０】
スピーカ４から発した単音パターンが洗浄用容器１２の壁面から反射されしてマイク９で検出されるまでの時間がＴ秒であったとすれば、ソナーの原理と同じように壁面までの距離Ｌは、Ｌ＝（音速×Ｔ）／２として求めることができる。
【００４１】
しかし、実際に使用される洗浄用容器１２は、使用者が任意に選んでおり、制御部１０が把握していない洗浄用容器１２の長辺、短辺方向の各壁面、底面及び液面それぞれから反射音が戻ってくることになる。そこで、これらの全ての反射音信号を記録し、その反射時間の大きい順に少なくとも３個の距離を選択し、それぞれ係数をかけて演算することによって大凡の洗浄用容器１２の容積を概算することができる。
【００４２】
ここで用いる係数は、携帯電話端末１を筒状の洗浄用容器１２の底面中央に置いたと仮定すると、底面が四角形の場合は「４」、円形の場合は「π」となる。この係数の算出は角柱、円柱の体積計算による。
【００４３】
また、洗浄用容器１２がコップ状の場合は、予め携帯電話端末１を水中に水面向きに沈めておき、図７に示すように水面からの反射音を受信することで水深ｈを知ることができる。また、水深ｈとコップ縁の斜角θを与えると、たとえば次に示す数１によって、コップ状の洗浄用容器１２内に入れられた洗浄液２０の体積を算出することができる。
【００４４】
【数１】
2009071747.tif 000004
【００４５】
これを実際に任意に選ばれたコップ状の洗浄用容器１２の容積を算出するために適用する場合には、例えば、水深ｈは水面からの反射時間に相当する反射音パターンを識別し、コップ縁の斜角θは家庭にある携帯電話端末の洗浄に使用されるであろう一般的なコップの斜角θの平均値を採用すれば、大凡の容積を概算することが可能である。
【００４６】
ただし、上述した角柱や円柱の体積の計算方法は基本的な概念を示したもので、反射時間の大きい順に少なくとも３個の距離及び前記係数に基づいて演算することに関しては、例えば、一般家庭にある容器において洗浄に使用されるであろう容器を対象として選んで、容積の算出実験を行う。そして反射時間の大きい順に少なくとも３個の距離のデータの解析を行い、どのような形の容器を選んでもできるだけ正確に各容器の容積を求めることができる実験近似式を情報記憶部５に記憶しておけばよい。
【００４７】
３．応用例
本発明に係る携帯電話端末は端末自体を洗浄するにとどまらず、被洗浄物を携帯電話端末と一緒に洗浄する形態を採用することも可能である。
【００４８】
被洗浄物を洗浄するときは、その被洗浄物の形状は特に限定されないので、通常は水中の携帯電話端末の近傍に被洗浄物を並べて配置する形態が採用される。
【００４９】
また、図８に示すように、柔らかな素材の物など、振動中の携帯電話端末１と直接接触すると損傷するおそれがある小物１５（被洗浄物の一例）については、合成樹脂製の柔らかな材質の網状アタッチメント１６（網状保持体の一例）で携帯電話端末１と離した状態で洗浄用容器１２内に配置して使用することもできる。
【００５０】
網状アタッチメント１６は携帯電話端末１の販売時に一緒に付属させるか、又は別途販売することが考えられる。図８に示す構成では専用のコップ状洗浄用容器１２ａの下部側位置に携帯電話端末１を載置し、コップ状洗浄用容器１２ａの上部側位置にコップ状洗浄用容器１２ａの内側斜面１２ｂと係合して保持される網状アタッチメント１６が示されている。この場合、網状アタッチメント１６の外観はほぼ皿形になる。
【００５１】
洗浄液２０の振動を網を通して小物１５に伝えることによって携帯電話端末１と接触せず、小物１５を洗浄できる。
【００５２】
なお、網状アタッチメント１６の形を、小物１５を収容できる球形，長方形など収容網体で構成して、洗浄用容器１２内の携帯電話端末１と並べて洗浄液内に沈めてもよい。
【００５３】
図８に示す洗浄用ユニットであれば、携帯電話端末本体の洗浄と兼用して、又は被洗浄物の洗浄だけを目的として、被洗浄物を予め洗浄容器に入れておけば、端末本体により攪拌された水流が、被洗浄物の微細な隙間等に付着した汚れを洗い流すことにより、ブラシや通常の水流では落ちにくい汚れを取り除くことができる。
【００５４】
また、一般家庭に広く普及している携帯電話端末１を利用して被洗浄物を自動洗浄できるため、洗浄機器を新しく購入する必要がなく、コストをかけずに洗浄機器を取得できる。この場合、携帯電話端末１を洗浄機器として使用しない場合には、通常の携帯電話端末１として利用できるため、洗浄機器の収納場所を特に確保する必要がない利点がある。
【００５５】
また、上述した「洗浄モード」を選択することによって、振動幅を小さく且つ周波数を高め、細かい振動による水流を直接、被洗浄物に衝突させることで、洗浄ムラを少なくして汚れを均一に洗い流すことも可能である。
【００５６】
特に、振動発生器として電歪振動子や磁歪振動子を携帯電話端末に搭載し、２０ｋＨｚ以上の超音波振動を発生させる構成であれば、超音波振動子の周囲から発生する細かい気泡が被洗浄物に当たり、強く弾ける瞬間に生じる衝撃波が被洗浄物の微細な隙間に付着した汚れを粉砕することにより、ブラシや通常の水流では落ちにくい汚れを効果的に取り除くことが可能になる。
【００５７】
４．本発明の諸側面
本発明によれば、洗浄モードでは振動発生器を洗浄振動パラメータに基づいて振動させるので、洗浄に適した振動で携帯機器を洗浄することができる。したがって、携帯機器内に備えられた振動発生器を使用して良好な洗浄を行うことができる。また、通常使用時の通知モードでは通知振動パラメータを使用するので、たとえば携帯電話端末の通常の着信バイブレータとして使用可能である。
【００５８】
さらに、本発明によれば、携帯機器のスピーカを音波送信手段として特定波長の音波パターンを発信し、洗浄用容器及び水面からの反射波をマイクで受信することにより、洗浄用容器の水量を推定することができる。この水量の推定値を用いることで、ユーザが任意に選んだ不特定の洗浄用容器を使用した場合でも、洗浄用容器の水量に適した洗浄振動パターンを発生させることができ洗浄効果を高めることができる。特に音波パターンの反射時間が大きい順に少なくとも３個の距離を算出し、これらの距離に基づいて洗浄用容器内の水量を推定することもできる。この構成であれば、ユーザが不特定の洗浄用容器を使用した場合でも、その容器内の水量をより正確に推定することが可能となる。
【００５９】
振動幅および周波数の少なくとも一方が異なる振動パラメータの洗浄モードを複数個用意し、携帯機器の状態に応じてユーザが洗浄モードを選択できることが望ましい。  この構成であれば、携帯機器の汚れ程度などに応じた最適の洗浄モードを選択でき、携帯機器の状態に応じた洗浄を行うことができる。
【００６０】
更に、洗浄用容器内の液体の温度を検出し、その液体温度に適した洗浄用振動パラメータを設定することも望ましい。
【００６１】
本発明は上記実施例の構成に限らず、本発明の要旨の範囲内で種々の変形が可能である。上述の実施例では、スピーカ４、マイク９を受話器および送話器と兼用したが、特定波長の音波パターンに適した専用スピーカ，専用マイクを電話用のスピーカ４およびマイク９と別途に設ける構成を採用してもよい。この場合、専用スピーカ、専用マイクの配設位置は、容積を算出することに適した位置に設けられる。
【００６２】
また、第１実施例に関連して、情報表示部３に洗浄用容器１２の容量と形状の種類を示した表や絵を提示して、ユーザに使用する洗浄用容器１２の種類を選定させることもできる。この場合、制御部１０は、選択された洗浄用容器１２に最も適した洗浄振動パラメータを設定できる。
【産業上の利用可能性】
【００６３】
本発明はバイブレータを内蔵した携帯電話器や携帯情報端末などの振動発生機能を有する携帯機器一般に適用可能である。
【図面の簡単な説明】
【００６４】
【図１】図１は本発明の第１実施例による携帯電話端末の正面図である。
【図２】図２は第１実施例による携帯電話端末の構成を示すブロック図である。
【図３】図３は第１実施例による携帯電話端末を洗浄用容器に入れて洗浄している状態を示す図である。
【図４】図４は第１実施例による携帯電話端末の洗浄モードでの動作例を示すフローチャートである。
【図５】図５は本発明の第２実施例による携帯電話端末の構成を示すブロック図である。
【図６】図６は第２実施例による携帯電話端末の洗浄モードでの動作例を示すフローチャートである。
【図７】図７はコップ状洗浄用容器の容積の算出方法の一例を説明するための図である。
【図８】図８は本発明による携帯電話端末と小物とを洗浄用容器に入れて洗浄している状態を示す図である。
【符号の説明】
【００６５】
１  携帯電話端末
４  スピーカ
６  振動発生器
８  操作入力部
９  マイク
１０  制御部
１１  振動パラメータ記憶部
１２  洗浄用容器
１３  音波パターン記憶部
１４  容積算出部
１５  小物（被洗浄物）
１６  網状アタッチメント（網状保持体）
【図１】
2009071747.tif 000005
【図２】
2009071747.tif 000006
【図３】
2009071747.tif 000007
【図４】
2009071747.tif 000008
【図５】
2009071747.tif 000009
【図６】
2009071747.tif 000010
【図７】
2009071747.tif 000011
【図８】
2009071747.tif 000012